(57)【要約】      （修正有）【課題】コアボーリングによる深いアンカー孔を穿設する必要のなく、下部構造物部内の鉄筋を切断する恐れのなく確実に下部構造物部に取付けることができる落橋防止装置を提供すること。【解決手段】コンクリート製下部構造物３の両側面に、それぞれ横桁支承ストッパを兼ねた上部係止部４を有するＰＣ鋼材支承ブロック１を前後に対抗配置すると共に、前後の上部係止部に渡って連結用ＰＣ鋼材２５により連結してコンクリート製下部構造物に固定し、下部構造物３における左右方向の上部の両側面に、それぞれ主桁支承ストッパを兼ねた上部係止部４を有するＰＣ鋼材定着ブロック１６を下部構造物３の上面に係止させるように対抗配置し、前後方向両側のＰＣ鋼材支承ブロック１の外側にこれに支承させるように配置した横締めＰＣ鋼材１４を左右方向の両側に配置したＰＣ鋼材定着ブロック１６に緊張定着させる。【選択図】図１
2006233498.tif 000002
【特許請求の範囲】
【請求項１】
コンクリート製下部構造物における前後方向の両側面に、それぞれ横桁支承ストッパを兼ねた上部係止部を有するＰＣ鋼材支承ブロックをコンクリート製下部構造物の上面に係止させるように対抗配置すると共に、前後のＰＣ鋼材支承ブロックにおける上部係止部に渡って上下構造物間の間隙に配置した連結用ＰＣ鋼材により連結してコンクリート製下部構造物に固定し、前記コンクリート製下部構造物における左右方向の両側面に、それぞれ主桁支承ストッパを兼ねた上部係止部を有するＰＣ鋼材定着ブロックをコンクリート製下部構造物の上面に係止させるように対抗配置し、前後方向両側のＰＣ鋼材支承ブロックの外側にこれに支承させるように配置した横締めＰＣ鋼材を左右方向の両側に配置したＰＣ鋼材定着ブロックに緊張定着させたことを特徴とする落橋防止装置。
【請求項２】
前後方向に対抗するＰＣ鋼材支承ブロックは、左右方向に間隔をおいて複数組配置され、コンクリート製下部構造物の左右方向の中心に近づくにしたがって前後方向の突出長さが長くされ、前後方向の両側面に配置の各ＰＣ鋼材支承ブロックの外側に配置した横締めＰＣ鋼材がほぼ平面円弧状に配置されていることを特徴とする請求項１に記載の落橋防止装置。
【請求項３】
ＰＣ鋼材支承ブロックは、コンクリート製下部構造物に固定されるプレキャストコンクリート製ブロックと、そのコンクリート製ブロックにアンカーボルトにより固定される鋼製のＰＣ鋼材支承ブラケットとにより構成され、各横締めＰＣ鋼材はＰＣ鋼材支承ブラケットに支承されていることを特徴とする請求項１または２に記載の落橋防止装置。
【請求項４】
ＰＣ鋼材定着ブロックは、コンクリート製下部構造物に固定されるプレキャストコンクリート製ブロックと、そのコンクリート製ブロックにアンカーボルトにより固定される鋼製のＰＣ鋼材定着ブラケットとにより構成され、各横締めＰＣ鋼材はＰＣ鋼材定着ブラケットに定着されていることを特徴とする請求項１または２に記載の落橋防止装置。
【発明の詳細な説明】
【技術分野】
【０００１】
本発明は、橋桁等の上部構造物が橋脚または橋台等の下部構造物から落橋するのを防止するための落橋防止装置に関する。
【背景技術】
【０００２】
従来、橋梁の落橋防止装置としては、既設橋台または橋脚上の巾方向中央部等に、所定深さの複数のアンカー孔を穿設し、そのアンカー孔にアンカーボルトの下部を埋め込み固定し、場所打ちコンクリートまたはプレキャストコンクリートブロック等の支承壁に前記アンカーボルトを挿通すると共に、前記アンカーボルトの上部にねじ込み固定した定着金具により前記支承壁を固定した、主桁等の橋桁の落橋を防止するようにした落橋防止装置が知られている（例えば、特許文献１参照）。
【０００３】
【特許文献１】特開２００４−１２４６１７
【発明の開示】
【発明が解決しようとする課題】
【０００４】
前記従来の場合は、既設橋台または既設橋脚に、かなり深いアンカー孔を穿設する必要があり、コアボーリングによる深いアンカー孔の削孔に伴い、既設橋台または橋脚内に埋め込み固定されている鉄筋を切断する恐れがある。また、既設橋台または既設橋脚内の鉄筋を切断しないように施工する場合にアンカーボルトの埋め込み長不足が起こる場合もあり、強度上の問題から別個にこれを補う必要があり、施工が煩雑になる共に施工の変更を余儀なくされる場合もある。
【０００５】
本発明は、コアボーリングによる深いアンカー孔を穿設する必要もなく、そのためアンカーボルトの埋め込み長不足が生じることもなく、既設橋台または橋脚等の下部構造物部内の鉄筋を切断する恐れもなく確実に下部構造物部に取付けることができる落橋防止装置を提供することを目的とする。
【課題を解決するための手段】
【０００６】
前記の課題を有利に解決するために、第１発明の落橋防止装置では、コンクリート製下部構造物（３）における前後方向の両側面に、それぞれ横桁支承ストッパを兼ねた上部係止部（４）を有するＰＣ鋼材支承ブロック１をコンクリート製下部構造物（３）の上面に係止させるように対抗配置すると共に、前後のＰＣ鋼材支承ブロック（１）における上部係止部に渡って上下構造物間の間隙Ｇに配置した連結用ＰＣ鋼材（２５）により連結してコンクリート製下部構造物に固定し、前記コンクリート製下部構造物（３）における左右方向の両側面に、それぞれ主桁支承ストッパを兼ねた上部係止部（４）を有するＰＣ鋼材定着ブロック（１６）をコンクリート製下部構造物（３）の上面に係止させるように対抗配置し、前後方向両側のＰＣ鋼材支承ブロック１の外側にこれに支承させるように配置した横締めＰＣ鋼材（１４）を左右方向の両側に配置したＰＣ鋼材定着ブロック（１６）に緊張定着させたことを特徴とする。
【０００７】
また、第２発明では、第１発明の落橋防止装置において、前後方向に対抗するＰＣ鋼材支承ブロック（１）は、左右方向に間隔をおいて複数組配置され、コンクリート製下部構造物（３）の左右方向の中心に近づくにしたがって前後方向の突出長さが長くされ、前後方向の両側面に配置の各ＰＣ鋼材支承ブロック（１）の外側に配置した横締めＰＣ鋼材（１４）がほぼ平面円弧状に配置されていることを特徴とする。
【０００８】
また、第３発明では、第１発明または第２発明の落橋防止装置において、ＰＣ鋼材支承ブロック（１）は、コンクリート製下部構造物（３）に固定されるプレキャストコンクリート製ブロック（２）と、そのコンクリート製ブロック（２）にアンカーボルト（３１）により固定される鋼製の横締めＰＣ鋼材支承用ブラケット（１１）とにより構成され、各横締めＰＣ鋼材１４はＰＣ鋼材支承ブラケット（１１）に支承されていることを特徴とする。
【０００９】
また、第４発明では、第１発明または第２発明の落橋防止装置において、ＰＣ鋼材定着ブロック１６は、コンクリート製下部構造物３に固定されるプレキャストコンクリート製ブロック（１７）と、そのコンクリート製ブロック（１７）にアンカーボルト（３４）により固定される鋼製のＰＣ鋼材定着ブラケット（１９）とにより構成され、各横締めＰＣ鋼材１４はＰＣ鋼材定着ブラケット（１９）に定着されていることを特徴とする。
【発明の効果】
【００１０】
本発明によると、コンクリート製下部構造物の上部の前後両側に配置したＰＣ鋼材支承用ブロックを連結用ＰＣ鋼材により連結して、下部構造物に取付けことができると共にその外側に配置した横締めＰＣ鋼材によりＰＣ鋼材支承ブロックをコンクリート製下部構造物に押圧するように固定することができるため、コンクリート製下部構造物にコアボーリングによる深いアンカー孔を穿設する必要もなく、そのためアンカーボルトの埋め込み長不足が生じることもなく、既設橋台または橋脚等のコンクリート製下部構造物内の鉄筋を切断する恐れがない。また、各コンクリート製ブロックの下部をインサート等の簡単な仮止め手段でコンクリート製下部構造物に仮止めするだけでよいので、施工が容易である。
また、コンクリート製下部構造物の左右の両側に配置したＰＣ鋼材定着用ブロックにより、横締めＰＣ鋼材を緊張定着させることができると共に、ＰＣ鋼材定着用ブロック自身を横締めＰＣ鋼材によりコンクリート製下部構造物に固定することができる。
【００１１】
第２発明によると、前後方向に対抗するＰＣ鋼材支承ブロックをコンクリート製下部構造物の左右方向の中心に近づくにしたがって前後方向の突出長さを長くするだけで、その外側に配置される横締めＰＣ鋼材を横方向に凸に配置させて、これによりＰＣ鋼材支承ブロックをコンクリート製下部構造物に向かって押圧させることができ、また、左右方向に間隔をおいて複数のＰＣ鋼材支承ブロックを配置しても、すべてのＰＣ鋼材支承ブロックをコンクリート製下部構造物に向かって押圧させることができるため、横桁等の上部構造物が地震時にＰＣ鋼材支承ブロックに衝突してもＰＣ鋼材支承ブロックの抵抗力を高めることができる。
【００１２】
また、第３発明によると、プレキャストコンクリート製ブロックに鋼製のＰＣ鋼材支承ブラケットを、アンカーボルトにより容易に固定することができ、また、鋼製のＰＣ鋼材支承ブラケットにより横締めＰＣ鋼材を支承させることができ、さらにＰＣ鋼材支承ブラケットをプレキャストコンクリート製ブロックの外側に配置したので、プレキャストコンクリート製ブロックに大きな引張り力を作用させることがなく、合理的なＰＣ鋼材支承ブロックとすることができる。
【００１３】
また、第４発明によると、プレキャストコンクリート製ブロックと鋼製の横締めＰＣ鋼材定着用ブラケットとを、プレキャストコンクリート製ブロックに固定したアンカーボルトにより容易に固定することができ、また、鋼製のＰＣ鋼材定着用ブラケットをプレキャストコンクリート製ブロックの外側に配置したので、プレキャストコンクリート製ブロックに大きな引張り力を作用させることがなく、合理的なＰＣ鋼材定着ブロックとすることができる。
【発明を実施するための最良の形態】
【００１４】
次に、本発明を図示の実施形態に基づいて詳細に説明する。
【００１５】
先ず、図６を参照して、橋脚または橋台等のコンクリート製下部構造物の橋軸方向の両側に配置されるＰＣ鋼材支承ブロック１の内側部分を構成するコンクリート製ブロック２について説明すると、前記のコンクリート製ブロック２は、下部構造物３の上面に係止され、かつ橋軸方向に対向するように配置されるコンクリート製ブロック２であり、橋軸方向の上部には、内向きに突出する横桁支承ストッパを兼ねた上部係止部４を備えていると共に、前記上部係止部４に一体に上下方向に延長する縦部分５とを備えた全体として逆Ｌ字状のプレキャストコンクリート製ブロックであり、上部係止部４は、縦部分５に対して直角であり、また橋軸直角方向に間隔をおいて複数のＰＣ鋼材挿通用透孔６とその端部に定着用凹部７を備えている。
【００１６】
また、前記コンクリート製ブロック２における縦部分５の上下方向の中間部には、上下方向に間隔をおくと共に左右方向に間隔をおいて複数のインサート等の雌ねじ金具８が埋め込み固定されている。
【００１７】
また、前記の縦部分５における下部には、左右方向に間隔をおいて複数のアンカーボルト挿通用孔９とその端部に定着用凹部１０を備えている。
【００１８】
次に、前記のＰＣ鋼材支承ブロック１における外側部分を構成し、前記内側のコンクリート製ブロック２に固定される鋼製の横締めＰＣ鋼材支承用ブラケット１１の構成について、図８（ａ）（ｂ）（ｃ）を参照して説明すると、横締めＰＣ鋼材支承用ブラケット１１の外側中間部には横方向に延長するＰＣ鋼材支承用横溝（凹部）１２が設けられ、前記ＰＣ鋼材支承用横溝（凹部）１２の横断面形状は、橋軸直角方向に横断面円弧状の横溝１２とされ、また、前記の横締めＰＣ鋼材支承用ブラケット１１には、上下方向に間隔を置くと共に左右方向に間隔をおいて複数のボルト挿通用透孔１３が設けられている。
【００１９】
前記の横締めＰＣ鋼材支承用ブラケット１１の橋軸方向の厚さＴは、橋軸直角方向の中央側に配置される横締めＰＣ鋼材支承用ブラケット１１については、橋軸直角方向の端部に配置される横締めＰＣ鋼材支承用ブラケット１１の厚さに比べて厚くなるように、すなわち橋軸方向の突出長さが長くなるように構成されている。
【００２０】
前記の横締めＰＣ鋼材支承用ブラケット１１が複数配置された状態では、橋軸方向の中心軸線に対して、左右対称に配置され、橋軸直角方向で外側に凸に配置される横締めＰＣ鋼材１４を各支承用横溝１２内で面タッチさせて支承するように配置して各支承用横溝１２により支承させ、下部構造物３に向かって横締めＰＣ鋼材１４により押圧させるように取付けられる。
【００２１】
前記の橋軸方向のコンクリート製ブロック２に埋め込み固定の雌ねじ金具８に、横締めＰＣ鋼材支承用ブラケット１１がボルト等により固定されて、コンクリート製ブロック２と横締め支承用ブラケット１１とからなるＰＣ鋼材支承用ブロック１が構成される。前記のＰＣ鋼材支承用ブロック１の施工にあたっては、最初に内側のコンクリート製ブロック２をコンクリート製下部構造物３の上部に固定した後、前記コンクリート製ブロック２にＰＣ鋼材支承用ブラケット１１が固定される。
【００２２】
次に、図７を参照して、橋脚または橋台等のコンクリート製下部構造物３の橋軸直角方向（左右方向）の両側上面に係止され、かつ橋軸直角方向に対向するように配置されるＰＣ鋼材定着ブロック１６の内側を構成するコンクリート製ブロック１７の構成について説明すると、コンクリート製ブロック１７は、内側すなわち橋軸直角方向の中央側に向かって突出する上部係止部４にゴム製等の弾性支承からなる主桁支承ストッパ１８を備えていると共に、上部係止部４に一体に上下方向に延長する縦部分５とにより構成された全体としてほぼ逆Ｌ字状のプレキャストコンクリート製ブロックであり、上部係止部４は、縦部分５に対して直角であり、また上部係止部４の内側の主桁支承ストッパ１８はボルトあるいはアンカーボルト等により固定されている。
【００２３】
また、前記コンクリート製ブロック１７における縦部分５の上下方向の中間部には、上下方向に間隔をおくと共に左右方向に間隔をおいて複数のインサート等の雌ねじ金具８が埋め込み固定されている。
【００２４】
また、前記の縦部分５における下部には、前後方向に間隔をおいて複数のアンカーボルト挿通用孔９およびその端部に定着用凹部１０を備えている。
【００２５】
次に、前記の橋軸直角方向のＰＣ鋼材定着ブロック１６の外側を構成し、前記内側のコンクリート製ブロック１７に固定される鋼製のＰＣ鋼材定着用ブラケット１９の構成について、図９（ａ）（ｂ）（ｃ）を参照して説明すると、ＰＣ鋼材定着用ブラケット１９の前後方向の両面には、その上下方向の中間部（図示の場合は中央部）からほぼ側面２１の中央に近接して貫通する横向きのＰＣ鋼材挿通用孔２０が設けられ、前記各側面２１には、傾斜した支承面を有する平面ほぼＶ字状の凹部２２が設けられ、また、前記ＰＣ鋼材定着用ブラケット１９には、前後方向に間隔を置くと共に左右方向に間隔をおいて複数のアンカー部材挿通用の透孔２３が設けられている。
【００２６】
前記の橋軸直角方向のコンクリート製ブロック１７における雌ねじ金具８にＰＣ鋼材定着用ブラケット１９がボルト等により固定されて、コンクリート製ブロック１７とＰＣ鋼材定着用ブラケット１９によりＰＣ鋼材定着用ブロック１６が構成される。
【００２７】
次に、前記の各コンクリート製ブロック２，１７およびＰＣ鋼材支承用ブラケット１１あるいはＰＣ鋼材定着用ブラケット１９を取付けて、図１および図２に示す状態に至るまでの施工手順について、図３から図５を参照しながら説明する。
【００２８】
まず、図３（ａ）〜（ｃ）に示すように、主桁２４間に位置するように、またコンクリート製下部構造物３の上端部においてこれを挟むように橋軸方向に対向するように、図６に示すコンクリート製ブロック２の一対を、端部横桁２８に間隔をおくことで主桁２４の伸縮を許容するように橋軸直角方向に間隔をおいて、下部構造物３の左右の張り出しフランジに渡って複数組配置し、かつ、コンクリート製ブロック２の上部係止部４下面および縦部分５の内側をコンクリート製下部構造物３の上面および橋軸方向の前面（または後面）に配置し、適宜支保工（図示を省略）により保持する。
【００２９】
対向する前記コンクリート製ブロック２における上部係止部４のＰＣ鋼材挿通用透孔６に渡って、連結用ＰＣ鋼材２５を配置し、下部構造物３の上端部上面および上部側面に無収縮モルタル２６を介在させ、前記無収縮モルタル２６の硬化後に、各コンクリート製ブロック２の外側の定着用凹部７内において連結用ＰＣ鋼材２５の端部に設けたナット等の定着金具によりこれらを緊張定着させる。
【００３０】
前記の連結用ＰＣ鋼材２５は、支承装置２７によって主桁２４を支持することにより形成されている端部横桁２８と下部構造物３上面との間の間隙Ｇを有効に利用して、支承装置２７から横方向にずらして下部構造物３の上面から僅かに浮かせるように配置される。
【００３１】
また、コンクリート製下部構造物３における橋軸方向の前後両面で、上端部から下方に離れた位置に浅く穿設されたアンカー孔に埋め込み固定の雌ねじ金具２９にアンカーボルト３０の一端部を固定すると共に、前記アンカーボルト３０を前記コンクリート製ブロック２の下部のアンカーボルト挿通用孔９に挿通して、前記コンクリート製ブロック２の下部定着凹部１０内においてナット等により定着する。
【００３２】
なお、図５に示すように、前記コンクリート製ブロック２の外面に、鋼製のＰＣ鋼材支承用ブラケット１１を配置すると共に、前記コンクリート製ブロック２に一端を雌ねじ金具８に連結されたアンカーボルト３１をＰＣ鋼材支承用ブラケット１１のボルト挿通用透孔１３に挿通すると共にナット等の定着金具３２により固定して、ＰＣ鋼材支承用ブロック１を構成する。
【００３３】
前記のようにして橋軸直角方向に間隔を置くと共に主桁間にＰＣ鋼材支承ブロック１を設置する。
【００３４】
次いで、図４に示すように、コンクリート製下部構造物３の橋軸直角方向（左右方向）の上部両側面に、図７に示すコンクリート製ブロック１７の一対を、橋軸直角方向に対向するように配置し、かつ、コンクリート製ブロック１７の上部係止部４下面および縦部分５の内側をコンクリート製下部構造物３の上面および橋軸方向の前面または後面に対向するように配置し、適宜支保工（図示を省略）により保持する。
【００３５】
また、下部構造物３の上端部上面および上部側面に無収縮モルタル２６を介在させ、前記無収縮モルタル２６の硬化させる。
【００３６】
また、コンクリート製下部構造物３に埋め込み固定の雌ねじ金具２９にアンカーボルト３３の一端部を固定すると共に、前記アンカーボルト３３を前記コンクリート製ブロック１７の下部のアンカーボルト挿通用孔９に挿通して、前記コンクリート製ブロック１７の下部凹部１０内においてナット等の定着金具３６により定着する。
【００３７】
前記のようにして橋軸直角方向に対向するコンクリート製ブロック１７を配置し、また、図５（ａ）（ｂ）に示すように、前記コンクリート製ブロック１７の外面に、鋼製のＰＣ鋼材定着用ブラケット１９を配置すると共に、前記コンクリート製ブロック１７の雌ねじ金具８に連結固定されたアンカーボルト３４をＰＣ鋼材定着用ブラケット１９の挿通孔２３に挿通すると共に定着金具３７により固定して、ＰＣ鋼材定着用ブロック１６を構成する。
【００３８】
次いで、図５に示すように、橋軸方向の前後両側にそれぞれ外ケーブルなどのＰＣ鋼材１４を配置すると共に、各横締めＰＣ鋼材１４の中間部をＰＣ鋼材支承用ブラケット１１の支承用横溝１２内に位置させると共に、前記横締めＰＣ鋼材１４の端部を、橋軸直角方向の両側のＰＣ鋼材定着用ブラケット１９の挿通孔２０に挿通させると共に、定着金具３８により、緊張定着させる。
【００３９】
図１および図２は、前記のようにして、既設の橋梁に本発明の落橋防止装置を実施した一実施形態を示すものである。
【００４０】
図１および図２に示すように、既設の橋脚または橋台等のコンクリート製下部構造物３に支承装置２７を介して上部構造物３５が支持されている既設の状態から、橋梁橋台または橋脚等のコンクリート製下部構造物３における前後方向（橋軸方向）の上部の両側面および左右方向（橋軸直角方向）の上部の両側面にそれぞれＰＣ鋼材支承ブロック１およびＰＣ鋼材定着用ブロック１６を設置し、橋軸方向の両側面に対向するＰＣ鋼材支承ブロック１は、橋軸方向の連結用ＰＣ鋼材２５により固定され、左右方向（橋軸直角方向）の両側に対向するＰＣ鋼材定着ブロック１６は、これらに渡って配置されると共に橋軸方向の両側面に対向するＰＣ鋼材支承ブロック１の外側に配置された横締めＰＣ鋼材１４の端部を定着することにより、コンクリート製下部構造物３に押圧するように固定されている。
【００４１】
前記の実施形態では、ＰＣ鋼材支承用ブロック１におけるＰＣ鋼材支承用横溝１２とＰＣ鋼材定着用ブラケット１９のＰＣ鋼材挿通用孔とが同レベルに設けられているので、ＰＣ鋼材支承用ブロック１を下部構造物３に対して水平方向に押圧させるように作用させて外側から支承させることができ、またＰＣ鋼材支承用ブロック１により横締めＰＣ鋼材１４を安定した状態で支承することができる。
【００４２】
また、ＰＣ鋼材支承用ブロック１は、橋軸直角方向の中央側の中心に近づくにしたがって、ＰＣ鋼材支承用横溝１２までの橋軸方向の突出長さの長いＰＣ鋼材支承用ブロック１で、かつ各ＰＣ鋼材支承用横溝１２の溝底部は同じ曲率の円弧状の軌跡上にあるので、横締めＰＣ鋼材１４により、各ＰＣ鋼材支承用ブロック１に均等に押圧力を作用させることができる。
【００４３】
なお、前記実施形態では、プレキャストコンクリート製ブロック２の縦部分５の橋軸方向の厚さ（突出寸法）を一定にして、ＰＣ鋼材支承用ブラケット１１の橋軸方向の長さを変化させているが、前記縦部分５の厚さを変化させ、かつＰＣ鋼材支承用ブラケット１１の長さを一定にしてもよい。
【００４４】
本発明を実施する場合、横締めＰＣ鋼材１４としては、ＰＣ鋼線またはＰＣ鋼撚り線あるいはＰＣ鋼棒等を使用することができる。
【図面の簡単な説明】
【００４５】
【図１】本発明の一実施形態の落橋防止装置を示す一部縦断正面図である。
【図２】図１の一部横断平面図である。
【図３】本発明の落橋防止装置の施工工程を示す説明図であり、（ａ）は概略縦断正面図、（ｂ）は概略縦断側面図、（ｃ）は概略横断平面図である。
【図４】本発明の落橋防止装置の施工工程を示す説明図であり、（ａ）は概略縦断正面図、（ｂ）は概略縦断側面図、（ｃ）は概略横断平面図である。
【図５】本発明の落橋防止装置の施工工程を示す説明図であり、（ａ）は概略縦断正面図、（ｂ）は概略縦断側面図、（ｃ）は概略横断平面図である。
【図６】下部構造物部の橋軸方向の両側に配置されるプレキャストコンクリート製ブロックの代表形態を示すものであって、（ａ）は正面図、（ｂ）は縦断側面図である。
【図７】下部構造物部の橋軸直角方向の両側に配置されるプレキャストコンクリート製ブロックを示すものであって、（ａ）は正面図、（ｂ）は一部縦断側面図である。
【図８】ＰＣ鋼材支承用ブロックにおける外側に配置されるＰＣ鋼材支承用ブラケットを示すものであって、（ａ）は正面図、（ｂ）は側面図、（ｃ）は平面図である。
【図９】ＰＣ鋼材定着用ブロックにおける外側に配置されるＰＣ鋼材定着用ブラケットを示すものであって、（ａ）は正面図、（ｂ）は側面図、（ｃ）は底面図である。
【符号の説明】
【００４６】
１    ＰＣ鋼材支承ブロック
２    コンクリート製ブロック
３    下部構造物
４    上部係止部
５    縦部分
６    ＰＣ鋼材挿通用孔
７    定着用凹部
８    雌ねじ金具
９    アンカーボルト挿通用孔
１０  定着用凹部
１１  ＰＣ鋼材支承用ブラケット
１２  ＰＣ鋼材支承用横溝
１３  ボルト挿通用透孔
１４  横締めＰＣ鋼材
１５  ＰＣ鋼材支承用ブロック
１６  ＰＣ鋼材定着用ブロック
１７  コンクリート製ブロック
１８  主桁支承ストッパ
１９  ＰＣ鋼材定着用ブラケット
２０  ＰＣ鋼材挿通用孔
２１  側面
２２  凹部
２３  透孔
２４  主桁
２５  連結用ＰＣ鋼材
２６  無収縮モルタル
２７  支承装置
２８  端部横桁
２９  雌ねじ金具
３０  アンカーボルト
３１  アンカーボルト
３２  定着金具
３３  アンカーボルト
３４  アンカーボルト
３５  上部構造物
３６  定着金具
３７  定着金具
３８  定着金具
【図１】
2006233498.tif 000003
【図２】
2006233498.tif 000004
【図３】
2006233498.tif 000005
【図４】
2006233498.tif 000006
【図５】
2006233498.tif 000007
【図６】
2006233498.tif 000008
【図７】
2006233498.tif 000009
【図８】
2006233498.tif 000010
【図９】
2006233498.tif 000011